(57)【要約】    【課題】  部品の多様化、組立て工程の煩雑化、コストの高騰。    【構成】  背凭シートの背凭骨格フレーム１の左右いずれか一方側Ｌにリクライニング装置Ａを設け、前記背凭骨格フレーム１の左右何れか他方側Ｒに他方側背凭ブラケット１０Ｒを固定し、該他方側背凭ブラケット１０Ｒは座席フレーム３５の他方側取付部３６Ｒに固定の他方側座席ブラケット１１Ｒの内側に位置するようにし、前記他方側背凭ブラケット１０Ｒの内面側には前記他方側座席ブラケット１１Ｒに固定の他方側取付軸１２Ｒの異径軸部５５が係合する異径係合孔５１を有するダンパ４０のケース４５を固定状態に取付けたリクライニング装置付きシートのダンパ構成。【選択図】    図１
2005118313.tif 000002
【特許請求の範囲】
【請求項１】
背凭シートの背凭骨格フレーム１の左右いずれか一方側Ｌにリクライニング装置Ａを設け、前記背凭骨格フレーム１の左右何れか他方側Ｒに他方側背凭ブラケット１０Ｒを固定し、該他方側背凭ブラケット１０Ｒは座席フレーム３５の他方側取付部３６Ｒに固定の他方側座席ブラケット１１Ｒの内側に位置するようにし、前記他方側背凭ブラケット１０Ｒの内面側には前記他方側座席ブラケット１１Ｒに固定の他方側取付軸１２Ｒの異径軸部５５が係合する異径係合孔５１を有するダンパ４０のケース４５を固定状態に取付けたリクライニング装置付きシートのダンパ構成。
【請求項２】
請求項１において、前記他方側取付軸１２Ｒには、前記他方側背凭ブラケット１０Ｒの下側挿通孔３２内に位置する円形形状の円形軸部６０を形成したリクライニング装置付きシートのダンパ構成。
【請求項３】
請求項１または請求項２において、前記他方側背凭ブラケット１０Ｒは、前記ダンパ４０を取付ける部分の断面を側板４１と前板４２と後板４３により「コ」の字形状に形成し、前記ダンパ４０の一部または全部は前記前板４２と後板４３の間に位置させたリクライニング装置付きシートのダンパ構成。
【請求項４】
請求項１または請求項２または請求項３において、前記他方側背凭ブラケット１０Ｒには前記他方側取付軸１２Ｒを挿通する下側挿通孔３２を形成し、該下側挿通孔３２に臨む前記他方側背凭ブラケット１０Ｒの内面側に前記ダンパ４０の異径係合孔５１を臨ませてダンパ４０のケース４５を他方側背凭ブラケット１０Ｒに固定状態に取付け、前記背凭骨格フレーム１は、前記他方側座席ブラケット１１Ｒの内面側に他方側背凭ブラケット１０Ｒの外面を当接させるようにして、前記他方側取付軸１２Ｒに他方側背凭ブラケット１０Ｒの下側挿通孔３２およびダンパ４０の異径係合孔５１を挿通係合させた状態で、前記一方側座席ブラケット１１Ｌの内面を前記座席フレーム３５の一方側取付部３６Ｌの外面に当接させて止着具５６により取付けたリクライニング装置付きシートのダンパ構成。
【請求項５】
背凭シートの背凭骨格フレーム１の左右いずれか一方側Ｌに、座席フレーム３５の一方側取付部３６Ｌに取付けられる一方側座席ブラケット１１Ｌに対して一方側取付軸１２Ｌにより回動自在であってリクライニング装置Ａによって所定角度に保持される一方側背凭ブラケット１０Ｌを、固定し、前記背凭骨格フレーム１の左右何れか他方側Ｒに他方側背凭ブラケット１０Ｒを固定し、該他方側背凭ブラケット１０Ｒには前記座席フレーム３５の他方側取付部３６Ｒに固定の他方側座席ブラケット１１Ｒに一方側Ｌ方向に突き出るように設けた他方側取付軸１２Ｒを挿通する下側挿通孔３２を形成し、該下側挿通孔３２に臨む前記他方側背凭ブラケット１０Ｒの内面側には前記他方側取付軸１２Ｒの異径軸部５５に係合する異径係合孔５１を有するダンパ４０のケース４５を固定状態に取付け、前記背凭骨格フレーム１は、前記他方側座席ブラケット１１Ｒの内面側に他方側背凭ブラケット１０Ｒの外面を当接させるようにして、前記他方側取付軸１２Ｒに他方側背凭ブラケット１０Ｒの下側挿通孔３２およびダンパ４０の異径係合孔５１を挿通係合させた状態で、前記一方側座席ブラケット１１Ｌの内面を前記座席フレーム３５の一方側取付部３６Ｌの外面に当接させて止着具５６により取付けたリクライニング装置付きシートのダンパ構成。
【請求項６】
請求項１または請求項２または請求項３または請求項４または請求項５において、前記ダンパ４０の異径係合孔５１と他方側取付軸１２Ｒの異径軸部５５は、前記異径係合孔５１の内周面と異径軸部５５の外面との間に、ケース４５の回転方向に所定の隙間５８を有して遊嵌状態になるように構成したリクライニング装置付きシートのダンパ構成。
【発明の詳細な説明】
【技術分野】
【０００１】
本発明は、リクライニング装置のバネ弾力による過剰な回転力を減衰させるダンパを有するシートに係るものである。
【背景技術】
【０００２】
従来、背凭シートと座席シートとの間にリクライニング装置を設けたものでは、背凭シートを常時前方回動するように付勢するリクライニング用バネを設けている。リクライニング用バネは、傾斜した背凭シートを起こすために必要不可欠である。
しかし、傾斜角度を大きく調節するとき等に、リクライニング装置のロックを外してリクライニング用バネを作用させると、リクライニング用バネにより回転力が背凭シートに過剰に付与され、高級感のない動きとなる。また、最近の背凭シートでは略水平状態まで倒すことがあり、この状態で、リクライニング装置のロックを解除すると、背凭シートの回動速度は傾斜調節における起き上がる速度に比して加速して起立する。
そのため、このリクライニング用バネによる過剰な回転力を減衰させ、高級感のある動きを与えるために、ダンパを設ける構成は種々提案されている。
【特許文献１】実開平２−２０４７号公報
【特許文献２】特開平８−３８２９０号公報
【特許文献３】特開平１１−２４４０８１号公報
【発明の開示】
【発明が解決しようとする課題】
【０００３】
公知例のうち、実開平２−２０４７号公報に記載されたものは、リクライニング装置と反対側の背凭骨格フレームの背凭ブラケットに挿通孔を形成し、挿通孔は座席フレームの取付部に固定の座席ブラケットに一体的に組み込んだダンパの回転部材に臨ませ、背凭ブラケットとダンパとを取付軸により取付ける構成のため、リクライニング装置の存在しないシートではこのダンパ付きの座席ブラケットを使用できず、部品の共用化ができずにコストが高くなるという課題がある。
また、公知例のうち、特開平８−３８２９０号公報に記載されたものは、背凭シートと座席シートとの回動中心となる取付軸に、リクライニング装置のリクライニング用バネを設けると共に、この取付軸にダンパを設けた構成のため、ダンパを有するリクライニング装置と、ダンパを有しないリクライニング装置とを用意しなくてはならず、この点、前記の公知例と同様に、部品の共用化ができずにコストが高くなるという課題がある。
また、取付軸の外側端部にダンパを設けた場合、表皮やパッドを取付ける作業工程において邪魔となって、作業性が劣るという別の課題も発生する。
また、公知例のうち特開平１１−２４４０８１号公報に記載されたものも、背凭ブラケットの外面にダンパを設けているので、表皮やパッドを取付ける作業工程において邪魔となって、作業性が劣るという課題を有する。また、取付軸はダンパのケースを貫通させて、その端部に割りピンにより抜け止めする構成のため、作業が面倒であるだけでなく、過剰な力が作用したとき（例えば着座者が当たる）の耐久性に課題がある。また、ダンパを設けない場合は、別途用意した取付軸により背凭ブラケットと座席ブラケットを取付けなければならず、部品の共用化ができずにコストが高くなるという課題がある。
【課題を解決するための手段】
【０００４】
本発明は、リクライニング装置Ａを設けていない側の背凭ブラケットの内面にダンパを設けることで、部品の共用化を図り、また、ダンパを露出させないようにしたもので、背凭シートの背凭骨格フレーム１の左右いずれか一方側Ｌにリクライニング装置Ａを設け、前記背凭骨格フレーム１の左右何れか他方側Ｒに他方側背凭ブラケット１０Ｒを固定し、該他方側背凭ブラケット１０Ｒは座席フレーム３５の他方側取付部３６Ｒに固定の他方側座席ブラケット１１Ｒの内側に位置するようにし、前記他方側背凭ブラケット１０Ｒの内面側には前記他方側座席ブラケット１１Ｒに固定の他方側取付軸１２Ｒの異径軸部５５が係合する異径係合孔５１を有するダンパ４０のケース４５を固定状態に取付けたリクライニング装置付きシートのダンパ構成としたものである。
本発明は、前記他方側取付軸１２Ｒには、前記他方側背凭ブラケット１０Ｒの下側挿通孔３２内に位置する円形形状の円形軸部６０を形成したリクライニング装置付きシートのダンパ構成としたものである。
本発明は、前記他方側背凭ブラケット１０Ｒは、前記ダンパ４０を取付ける部分の断面を側板４１と前板４２と後板４３により「コ」の字形状に形成し、前記ダンパ４０の一部または全部は前記前板４２と後板４３の間に位置させたリクライニング装置付きシートのダンパ構成としたものである。
本発明は、前記他方側背凭ブラケット１０Ｒには前記他方側取付軸１２Ｒを挿通する下側挿通孔３２を形成し、該下側挿通孔３２に臨む前記他方側背凭ブラケット１０Ｒの内面側に前記ダンパ４０の異径係合孔５１を臨ませてダンパ４０のケース４５を他方側背凭ブラケット１０Ｒに固定状態に取付け、前記背凭骨格フレーム１は、前記他方側座席ブラケット１１Ｒの内面側に他方側背凭ブラケット１０Ｒの外面を当接させるようにして、前記他方側取付軸１２Ｒに他方側背凭ブラケット１０Ｒの下側挿通孔３２およびダンパ４０の異径係合孔５１を挿通係合させた状態で、前記一方側座席ブラケット１１Ｌの内面を前記座席フレーム３５の一方側取付部３６Ｌの外面に当接させて止着具５６により取付けたリクライニング装置付きシートのダンパ構成としたものである。
本発明は、背凭シートの背凭骨格フレーム１の左右いずれか一方側Ｌに、座席フレーム３５の一方側取付部３６Ｌに取付けられる一方側座席ブラケット１１Ｌに対して一方側取付軸１２Ｌにより回動自在であってリクライニング装置Ａによって所定角度に保持される一方側背凭ブラケット１０Ｌを、固定し、前記背凭骨格フレーム１の左右何れか他方側Ｒに他方側背凭ブラケット１０Ｒを固定し、該他方側背凭ブラケット１０Ｒには前記座席フレーム３５の他方側取付部３６Ｒに固定の他方側座席ブラケット１１Ｒに一方側Ｌ方向に突き出るように設けた他方側取付軸１２Ｒを挿通する下側挿通孔３２を形成し、該下側挿通孔３２に臨む前記他方側背凭ブラケット１０Ｒの内面側には前記他方側取付軸１２Ｒの異径軸部５５に係合する異径係合孔５１を有するダンパ４０のケース４５を固定状態に取付け、前記背凭骨格フレーム１は、前記他方側座席ブラケット１１Ｒの内面側に他方側背凭ブラケット１０Ｒの外面を当接させるようにして、前記他方側取付軸１２Ｒに他方側背凭ブラケット１０Ｒの下側挿通孔３２およびダンパ４０の異径係合孔５１を挿通係合させた状態で、前記一方側座席ブラケット１１Ｌの内面を前記座席フレーム３５の一方側取付部３６Ｌの外面に当接させて止着具５６により取付けたリクライニング装置付きシートのダンパ構成としたものである。
【発明の効果】
【０００５】
請求項１の発明では、他方側背凭ブラケット１０Ｒの内側にダンパ４０を設けているので、仮にダンパ４０を設けなくても、他方側取付軸１２Ｒの端部が他方側背凭ブラケット１０Ｒの内側に突出するに過ぎず、ダンパ４０の有無に関わらず、他方側背凭ブラケット１０Ｒおよび他方側取付軸１２Ｒの部品は共用でき、また、他方側背凭ブラケット１０Ｒの内側に配置しているので、表皮やパッドを取付ける作業工程において影響せず、作業性を低下させない。
請求項２の発明では、他方側取付軸１２Ｒと他方側背凭ブラケット１０Ｒにより荷重を支受するので、ダンパ４０を小型にでき、ダンパ４０を小型にできた結果、他方側背凭ブラケット１０Ｒ自体も小型化できる。
請求項３の発明では、ダンパ４０を他方側背凭ブラケット１０Ｒにより包囲して保護でき、ダンパ４０の破損を防止でき、他方側背凭ブラケット１０Ｒをダンパ４０のカバーとして兼用できる合理的な構成となる。
請求項４の発明では、他方側取付軸１２Ｒをダンパ４０のダンパ４０の異径係合孔５１に挿入させるだけで、割りピン等によって特に取付固定作業をしなくてよく、組立作業を頗る容易にできる。また、他方側取付軸１２Ｒは先端に異径軸部５５を形成すればよく、製造および取付も容易にできる。
請求項５の発明では、ダンパ４０の有無に関わらず、他方側背凭ブラケット１０Ｒおよび他方側取付軸１２Ｒの部品は共用でき、また、他方側背凭ブラケット１０Ｒの内側に配置しているので、表皮やパッドを取付ける作業工程において影響せず、作業性を低下させない。また、他方側取付軸１２Ｒをダンパ４０のダンパ４０の異径係合孔５１に挿入させるだけで、割りピン等によって特に取付固定作業をしなくてよく、組立作業を頗る容易にできる。また、他方側取付軸１２Ｒは先端に異径軸部５５を形成すればよく、製造および取付も容易にできる。
【実施例１】
【０００６】
本発明の一実施例を図面により説明すると、１は車両用シートの背凭シートの背凭骨格フレームであり、背凭骨格フレーム１の形状は任意である。
実施例では、ヘッドレストのピラーを装着する支持機構２を有する上部フレーム３を設け、上部フレーム３の左右両側には側部フレーム４を設け、該側部フレーム４の下部は左右方向の下部フレーム５により連結し、正面視略四角枠形状に形成しているが、板部材により形成したり、形状や構造は問わない。
しかして、前記背凭骨格フレーム１の左右何れか一方側Ｌには、一方側背凭ブラケット１０Ｌの上部を固定し、一方側背凭ブラケット１０Ｌには一方側座席ブラケット１１Ｌを一方側取付軸１２Ｌにより取付ける。一方側背凭ブラケット１０Ｌと一方側座席ブラケット１１Ｌの間にはリクライニング装置Ａを設け、一方側座席ブラケット１１Ｌに対して一方側背凭ブラケット１０Ｌが一方側取付軸１２Ｌ中心に前後に回動して背凭シートの傾斜角度を調節する。
【０００７】
リクライニング装置Ａの構成は任意であるが、一例を示すと、一方側座席ブラケット１１Ｌの外周縁には一方側取付軸１２Ｌ中心とする円弧状の傾斜調節用円弧ギヤ１３を形成し、傾斜調節用円弧ギヤ１３に継脱して一方側背凭ブラケット１０Ｌの回動を停止させるロック部材１４を一方側背凭ブラケット１０Ｌに設ける。
ロック部材１４を回動させる操作機構１５を設ける。操作機構１５の構成も任意であるが、１６はロック部材１４を回動させるカム体であり、カム体１６の下部をロック部材１４のカム面１７に当接させる。カム体１６の上部にはピン１８を設け、ピン１８はレバー１９の一端に設けた長孔２０に係合させる。
【０００８】
レバー１９は軸２１により一方側背凭ブラケット１０Ｌに回動自在に取付け、レバー１９の他端には前記カム体１６がロック部材１４をロック方向に移動させるように付勢するバネ２２を係止する。なお、レバーレバー１９には図示は省略するが、背凭シートの所定位置に設けたレバ−あるいはノブにより構成する操作部材に接続する。
傾斜調節用円弧ギヤ１３よりも一方側背凭ブラケット１０Ｌの傾斜方向前側の一方側座席ブラケット１１Ｌには背凭シートを前倒れさせた位置で固定する前倒れ係合溝２３を形成している。
前記リクライニング装置Ａの一方側取付軸１２Ｌには、背凭シートを常時前方回動するように付勢するリクライニングバネ２４の一端を係止し、リクライニングバネ２４の他端は一方側背凭ブラケット１０Ｌに設けた係止部２５に係止する。
【０００９】
しかして、前記背凭骨格フレーム１の左右何れか他方側Ｒには他方側背凭ブラケット１０Ｒを固定する。他方側背凭ブラケット１０Ｒは上部を背凭骨格フレーム１の側部外面に固定する。
他方側背凭ブラケット１０Ｒの上下中間部には背凭骨格フレーム１の左右中央側に凹む凹部３０を設け、凹部３０内には上側挿通孔３１を形成する。
他方側背凭ブラケット１０Ｒの下部には下側挿通孔３２を形成する。下側挿通孔３２は前記一方側取付軸１２Ｌと同心位置に形成する。他方側背凭ブラケット１０Ｒは座席フレーム３５の他方側取付部３６Ｒに固定の他方側座席ブラケット１１Ｒの内側に位置させて取付ける。
他方側背凭ブラケット１０Ｒの内側にはダンパ４０を設ける。
【００１０】
前記他方側背凭ブラケット１０Ｒは、少なくとも、前記ダンパ４０を取付ける部分の断面が側板４１と前後板４２、４３により「コ」の字形状になるように形成する。前記ダンパ４０のケース４５は前板４２と後板４３との幅と相対的に略同一の幅となるように形成し、ケース４５の長さ方向の一部または全部を前記前板４２と後板４３の間に位置させる。
ケース４５の上部には取付部４６を設け、取付部４６を前記他方側背凭ブラケット１０Ｒの上側挿通孔３１に当接させてボルト等の止着具４７により取付ける。
【００１１】
実施例では、他方側背凭ブラケット１０Ｒの下部にケース４５の下面形状に合わせてたフランジ部５０を形成し、ケース４５は他方側背凭ブラケット１０Ｒの内面に前後上下方向に移動しないように当接状態で固定している。
前記ダンパ４０のケース４５には異径係合孔５１を設ける。異径係合孔５１は前記他方側背凭ブラケット１０Ｒの下側挿通孔３２に臨ませる。異径係合孔５１はケース４５に回転自在に軸装した回転部材５２の内周に形成し、回転部材５２の外周にはフィン５３を設け、フィン５３はケース４５内のオイル等の粘性体５４中に位置させる。
前記ダンパ４０の異径係合孔５１には、他方側座席ブラケット１１Ｒの他方側取付軸１２Ｒの異径軸部５５に係合させる。他方側座席ブラケット１１Ｒは座席フレーム３５の他方側取付部３６Ｒに固定する。
【００１２】
他方側取付軸１２Ｒに異径係合孔５１を係合させたダンパ４０は、背凭骨格フレーム１が前後回動することにより、位置不動の他方側取付軸１２Ｒに係合している異径係合孔５１（回転部材５２）に対して他方側背凭ブラケット１０Ｒに固定のダンパ４０のケース４５が回転し、これによりケース４５の粘性体５４と回転部材５２（異径係合孔５１）のフィン５３が相対的に回転し、このときの背凭骨格フレーム１の回動に伴う回転力を減衰させるように作用する。
３６Ｌは座席フレーム３５の一方側取付部であり、前記一方側座席ブラケット１１Ｌをボルト等の止着具５６により固定する。５７は止着具５６が螺合する螺合部材である。
【００１３】
この場合、他方側取付部３６Ｒおよび他方側座席ブラケット１１Ｒは他方側背凭ブラケット１０Ｒの外側に位置させ、一方側取付部３６Ｌは一方側座席ブラケット１１Ｌの内側に位置するように構成すると、予め座席フレーム３５に固定されている他方側座席ブラケット１１Ｒの他方側取付軸１２Ｒに他方側背凭ブラケット１０Ｒの下側挿通孔３２およびダンパ４０の異径係合孔５１を差し込み、この状態で、一方側座席ブラケット１１Ｌを一方側取付部３６Ｌの外面に当接させ、一方側座席ブラケット１１Ｌと一方側取付部３６Ｌを止着具５６により固定すると、他方側座席ブラケット１１Ｒの他方側取付軸１２Ｒに対する他方側背凭ブラケット１０Ｒの抜けが阻止され、背凭骨格フレーム１の左右両側は一度で固定される。
【００１４】
しかして、回転部材５２の異径係合孔５１は、異径係合孔５１の内周面と他方側取付軸１２Ｒの異径軸部５５の外面との間に、ケース４５の回転方向に所定の隙間５８を有して遊嵌状態になるように構成する。
即ち、異径係合孔５１は、ひょうたん形状のように、中間が細く、両端が幅広となるように形成し、一方、他方側取付軸１２Ｒの異径軸部５５は板軸状の終始同一幅に形成して、両者の間に回転方向に隙間５８を有して遊嵌状態に構成する。
これにより、ダンパ４０は、背凭骨格フレーム１の回動初期の、異径係合孔５１の内周面が他方側取付軸１２Ｒの異径軸部５５の外面に当接するまでは非作動状態になって、回転力を減衰させず、背凭骨格フレーム１の回動を素早く立ち上げて操作者の操作フィーリングを向上させ、所定量背凭骨格フレーム１の回動して、異径係合孔５１の内周面が他方側取付軸１２Ｒの異径軸部５５の外面に当接すると、ダンパは作動して、リクライニングバネ２４により回転力を減衰させるように作動させる。
しかして、他方側背凭ブラケット１０Ｒの下側挿通孔３２内に位置する他方側取付軸１２Ｒは円形軸部６０に形成し、円形軸部６０が他方側背凭ブラケット１０Ｒの前後回動を円滑に支持できて好適である。
他方側取付軸１２Ｒとダンパ４０との取付は、他方側取付軸１２Ｒの異径軸部５５とダンパ４０の異径係合孔５１とが互いに固定状態に係合するように他方側背凭ブラケット１０Ｒに取付けられればよく、他方側取付軸１２Ｒとダンパ４０と他方側背凭ブラケット１０Ｒの取付構成は任意である。
【００１５】
（実施例の作用）
背凭骨格フレーム１の左右いずれか一方側Ｌにリクライニング装置Ａを設け、前記背凭骨格フレーム１の左右何れか他方側Ｒに他方側背凭ブラケット１０Ｒを固定し、他方側背凭ブラケット１０Ｒは座席フレーム３５の他方側取付部３６Ｒに固定の他方側座席ブラケット１１Ｒの内側に位置するようにし、前記他方側背凭ブラケット１０Ｒの内面側には前記他方側座席ブラケット１１Ｒに固定の他方側取付軸１２Ｒの異径軸部５５が係合する異径係合孔５１を有するダンパ４０のケース４５を固定状態に取付けているから、背凭骨格フレーム１が前後回動すると、位置不動の他方側取付軸１２Ｒの異径軸部５５に係合しているダンパ４０の異径係合孔５１（回転部材５２）に対して他方側背凭ブラケット１０Ｒに固定のダンパ４０のケース４５が回転し、これによりケース４５の粘性体５４と回転部材５２（異径係合孔５１）のフィン５３が相対的に回転する際に抵抗が発生し、ダンパ４０は背凭骨格フレーム１の回動に伴う回転力を減衰させる。
【００１６】
即ち、ダンパ４０の回転部材５２を他方側取付軸１２Ｒに係合させて、回転部材５２に対してケース４５を回動させることにより、背凭骨格フレーム１の回動に伴う回転力を減衰させる。
したがって、他方側取付軸１２Ｒは他方側座席ブラケット１１Ｒに固定すればよく、構造が簡素になる。
また、他方側取付軸１２Ｒの異径軸部５５とダンパ４０の異径係合孔５１は、異径係合孔５１を回転部材５２内に形成することにより、互いに固定状態に係合するように構成すればよく、互いに異径形状に形成することで、構成を簡素にする。
即ち、他方側取付軸１２Ｒは背凭骨格フレーム１の回動中心であり、他方側取付軸１２Ｒは背凭骨格フレーム１の間には回転構成が必要となるが、他方側取付軸１２Ｒは他方側座席ブラケット１１Ｒに、ダンパ４０は他方側背凭ブラケット１０Ｒの内側に、夫々固定すればよいので、組立・取付を頗る容易にする。
【００１７】
また、ダンパ４０は他方側背凭ブラケット１０Ｒの内側に設けているので、他方側背凭ブラケット１０Ｒの外側に露出せず、その後の表皮部材の装着等の作業工程に影響しない。
また、ダンパ４０は、他方側背凭ブラケット１０Ｒの上下中間部の凹部３０内の上側挿通孔３１より止着具４７で取付けているので、ダンパ４０のみならずダンパ４０を固定する止着具４７も他方側背凭ブラケット１０Ｒの外面より突出せず、表皮部材の装着等の作業工程に影響しない。
【００１８】
しかして、他方側背凭ブラケット１０Ｒは、側板４１と前板４２と後板４３により断面「コ」の字形状に形成しているから、ダンパ４０のケース４５の長さ方向の一部または全部は前記前板４２と後板４３の間に位置させることにより、ダンパ４０が保護され、破損を防止する。
即ち、他方側背凭ブラケット１０Ｒは、ダンパ４０の保護カバーとして兼用できる。
また、背凭骨格フレーム１に掛かる荷重は他方側背凭ブラケット１０Ｒが支持し、ダンパ４０には荷重が掛からず、ダンパ４０は背凭骨格フレーム１の回転力を減衰しうる大きさ（容量）に形成すればよいので、他方側背凭ブラケット１０Ｒおよびダンパ４０の何れも小型化できる。
【００１９】
即ち、ダンパ４０のケース４５は前板４２と後板４３との幅と相対的に略同一の幅となるように形成すればよく、ケース４５は前板４２と後板４３により包囲される。
また、他方側背凭ブラケット１０Ｒの下部にダンパ４０のケース４５の下面形状に合わせてたフランジ部５０を形成しているから、ケース４５は他方側背凭ブラケット１０Ｒの内面に前後上下方向に移動しないように当接状態で、しかも、取付部４６とフランジ部５０により上下に挟持固定されて取付けられる。
したがって、一層、ダンパ４０は邪魔にならず、また、取付強度も高くする。
【００２０】
この場合、他方側背凭ブラケット１０Ｒは他方側取付部３６Ｒおよび他方側座席ブラケット１１Ｒの内側に位置させ、一方側座席ブラケット１１Ｌは一方側取付部３６Ｌの外側に位置させているから、前記他方側座席ブラケット１１Ｒの内面側に他方側背凭ブラケット１０Ｒの外面が当接するように、他方側取付軸１２Ｒに他方側背凭ブラケット１０Ｒの下側挿通孔３２およびダンパ４０の異径係合孔５１を挿通係合させ、この状態で、一方側座席ブラケット１１Ｌを一方側取付部３６Ｌの外面に当接させ、一方側座席ブラケット１１Ｌと一方側取付部３６Ｌを止着具５６により固定することにより、他方側取付軸１２Ｒにダンパ４０の異径係合孔５１を嵌合させるだけで、外に割りピン等による抜け止めの作業をすることなく、この部分の取付が完了し、しかも、一方側座席ブラケット１１Ｌを一方側取付部３６Ｌに固定するだけで、他方側座席ブラケット１１Ｒの他方側取付軸１２Ｒに対する他方側背凭ブラケット１０Ｒの抜けが阻止され、背凭骨格フレーム１の左右両側は一度で固定される。
【００２１】
したがって、背凭骨格フレーム１の座席フレーム３５への組付けが頗る容易になる。
この場合、他方側背凭ブラケット１０Ｒは、他方側背凭ブラケット１０Ｒの下側挿通孔３２を他方側取付軸１２Ｒに挿通するだけなので、他方側背凭ブラケット１０Ｒにダンパ４０を設けない場合も、他方側取付軸１２Ｒの先端は他方側背凭ブラケット１０Ｒの内側に位置するだけで、外側に露出しない。
したがって、他方側取付軸１２Ｒおよび他方側背凭ブラケット１０Ｒは、ダンパ４０の有無にかかわらず、共用化できる。
【図面の簡単な説明】
【００２２】
【図１】背凭フレームの正面図。
【図２】背凭フレームの組み付け状態正面図。
【図３】リクライニング装置の一例を示す側面図。
【図４】一方側座席ブラケットと一方側背凭ブラケットとダンパの組立て状態を示す斜視図。
【図５】同縦断正面図。
【図６】異径軸部と異径係合孔の関係を示すダンパの側面図。
【符号の説明】
【００２３】
１…背凭骨格フレーム１、２…支持機構、３…上部フレーム、４…側部フレーム、５…下部フレーム、１０Ｌ…一方側背凭ブラケット、１０Ｒ…他方側背凭ブラケット、１１Ｌ…一方側座席ブラケット、１１Ｒ…他方側座席ブラケット、１２Ｌ…一方側取付軸、１２Ｒ…他方側取付軸、１４…ロック部材、１３…傾斜調節用円弧ギヤ、１５…操作機構、１６…カム体、１７…カム面、１８…ピン、１９…レバー、２０…長孔、２１…軸、２２…バネ、２３…係合溝、３０…凹部、３１…上側挿通孔、３２…下側挿通孔、３５…座席フレーム、３６Ｒ…他方側取付部、３６Ｌ…一方側取付部、４０…ダンパ、４１…側板、４２…前板、４３…後板、４５…ケース、４６…取付部、４７…止着具、５０…フランジ部、５１…異径係合孔、５２…回転部材、５３…フィン、５４…粘性体、５５…異径軸部、５６…止着具、５７…螺合部材、５８…隙間、６０…円形軸部。
【図１】
2005118313.tif 000003
【図２】
2005118313.tif 000004
【図３】
2005118313.tif 000005
【図４】
2005118313.tif 000006
【図５】
2005118313.tif 000007
【図６】
2005118313.tif 000008